(57)【要約】【課題】  手の自由を確保して安全に荷物を持ち運びでき、不要時には携帯性・収納性に優れたランドセル装着用物入れを提供する。【解決手段】  物入れ１０のカバー１２は、正面部１４、側面部１６Ａ，１６Ｂ、背面部１８Ｂ，１８Ｂ、連結ベルト３６Ａ，３６Ｂにより構成される。正面部１４の下方にはポケット２０が設けられており、側面部１６Ａ，１６Ｂには小物などを収納する袋２８Ａ，２８Ｂが設けられている。背面部１８Ａの面ファスナー３８Ａ，４０Ａを、他方の背面部１８Ｂの面ファスナー３８Ｂ，４０Ｂと接合し、更に、連結ベルト３６Ａ，３６Ｂの面ファスナー４２Ａ，４２Ｂを、それぞれ正面部１４の面ファスナー２６Ｂ，２６Ａと接合するとランドセルに装着される。使用しない時には、カバー１２自体を小さくまとめてポケット２０に収納することで、かさばらずに携帯・収納することができる。【選択図】図１
2005111127.tif 000002
【特許請求の範囲】
【請求項１】
ランドセルの覆い蓋のほぼ全体を覆う正面部，前記ランドセルの側面のほぼ全体を覆う一対の側面部，前記ランドセルの背面のほぼ全体を覆うとともに、該背面の上部に設けられた肩紐の取付位置よりも下方で重なり合う一対の背面部が一体となったカバー，
前記一対の背面部の上部に延設されており、前記肩紐の取付位置よりも外側で前記正面部の上部と重なり合うベルト，
前記一対の背面部同士の重なり部分及び前記ベルトと前記正面部の重なり部分にそれぞれ設けられており、前記各部を着脱可能に接合する接合具，
前記一対の側面部に設けられた少なくとも一つ以上の収納袋，
前記正面部に設けられるとともに開口部を有しており、前記カバーを、前記ベルト及び収納袋とともに収納するポケット，
を備えたことを特徴とするランドセル装着用物入れ。
【請求項２】
前記ポケットの内側に、吊下げ用の吊下げ具を設けたことを特徴とする請求項１記載のランドセル装着用物入れ。
【請求項３】
前記接合具又はその付近に、接合手順を示す表示を設けたことを特徴とする請求項１又は２記載のランドセル装着用物入れ。
【請求項４】
前記接合具が、接合部分の組み合わせごとに区別されていることを特徴とする請求項１〜３のいずれかに記載のランドセル装着用物入れ。
【請求項５】
ランドセルの覆い蓋のほぼ全体を覆う正面部，前記ランドセルの側面のほぼ全体を覆う一対の側面部，前記ランドセルの背面のほぼ全体を覆うとともに、該背面の上部に設けられた肩紐の取付位置よりも下方で重なり合う一対の背面部が一体となったカバー，
前記一対の背面部の上部に延設されており、前記肩紐の取付位置よりも外側で前記正面部の上部と重なり合うベルト，
前記一対の背面部同士の重なり部分及び連結ベルトと前記正面部の重なり部分に設けられており、前記各部を着脱可能に接合するとともに、接合部分の組み合わせごとに区別される接合具，
前記一対の側面部に設けられた少なくとも一つ以上の収納袋，
前記正面部に設けられるとともに開口部を有しており、前記カバーを、前記ベルト及び収納袋とともに収納するポケット，
該ポケットの内側に設けられた吊下げ用の吊下げ具，
前記接合具又はその付近に設けられた接合手順を示す表示，
を備えたことを特徴とするランドセル装着用小物入れ。
【発明の詳細な説明】
【技術分野】
【０００１】
本発明は、ランドセルに装着して使用するランドセル装着用物入れに関するものである。
【背景技術】
【０００２】
小学生が使用するランドセルは、本体に教科書やノート，筆箱などの文房具を収納するほか、仕切りやポケットなどに小物や厚みがないものを収納することが可能である。ところが、比較的かさばる物，例えば、上履きや給食用エプロン，縦笛などを収納するスペースはないため、これらの持ち運びには、ランドセルとは別に手提げ袋などを用意する必要がある。しかしながら、手提げ袋などを持って手を塞いでしまうのは、転倒時にとっさに手をつけない等、安全性の面からは好ましいものではない。特に、雨の日には傘を持つため両手が塞がってしまい、なおさら安全性が確保しがたいという問題がある。このような問題に対しては、例えば、以下に示す特許文献１及び２のような技術が提案されている。
【０００３】
前記特許文献１に記載のランドセルは、ランドセル本体と手提げ袋により構成されており、前記手提げ袋の一対の提手の少なくとも一箇所を着脱可能としてランドセルの上部で肩ひもに吊り下げ、更に、手提げ袋の下方に設けた水平帯によってランドセルの被せ蓋に固定する構造とすることによって、荷物の持ち運び時の手の自由を確保することが開示されている。また、特許文献２には、上部に開口部を備えた有底袋状の鞄本体と、該鞄本体上部より延設されランドセルの吊金具に掛止可能に形成された吊ベルトと、前記鞄本体下部より左右方向に延設されランドセルの雨蓋に掛止可能に形成された装着ベルトとからなるランドセル装着用鞄が開示されており、上述した問題の解決が図られている。
【特許文献１】特開２００２−２３８６４５
【特許文献２】特開２００２−２８２０３１
【発明の開示】
【発明が解決しようとする課題】
【０００４】
しかしながら、以上のような背景技術では、ランドセルの正面，すなわち蓋を覆う部分に手提げ袋ないし鞄が装着されるため、児童が動き回ったり上体を横に傾けるような体勢をとったりすると、袋内での収納物の跳ねや横滑りを防ぐことができず、良好な使用感を得ることができない。また、例えば、学校に持って行くものが多い月曜日や、家に持ち帰るものが多い金曜日，あるいは、工作で作ったものなどを持ち帰るような特定の日は手提げ袋が必要であっても、それ以外の日には必要でない場合もある。更に、荷物の持ち運びが必要な日であっても、行き帰りのいずれかで袋が不要になる場合がある。ところが、上述した背景技術では、使用しないときには手提げ袋や鞄自体がかさばる荷物となるのを避けることができない。
【０００５】
本発明は、以上の点に着目したもので、その目的は、手の自由を確保しながら安全に小物などの荷物を持ち運びすることができるとともに、不要時にはかさばることがなく携帯性や収納性に優れたランドセル装着用物入れを提供することである。
【課題を解決するための手段】
【０００６】
前記目的を達成するため、本発明のランドセル装着用物入れは、ランドセルの覆い蓋のほぼ全体を覆う正面部，前記ランドセルの側面のほぼ全体を覆う一対の側面部，前記ランドセルの背面のほぼ全体を覆うとともに、該背面の上部に設けられた肩紐の取付位置よりも下方で重なり合う一対の背面部が一体となったカバー，前記一対の背面部の上部に延設されており、前記肩紐の取付位置よりも外側で前記正面部の上部と重なり合うベルト，前記一対の背面部同士の重なり部分及び前記ベルトと前記正面部の重なり部分にそれぞれ設けられており、前記各部を着脱可能に接合する接合具，前記一対の側面部に設けられた少なくとも一つ以上の収納袋，前記正面部に設けられるとともに開口部を有しており、前記カバーを、前記ベルト及び収納袋とともに収納するポケット，を備えたことを特徴とする。
【０００７】
他の発明のランドセル装着用物入れは、ランドセルの覆い蓋のほぼ全体を覆う正面部，前記ランドセルの側面のほぼ全体を覆う一対の側面部，前記ランドセルの背面のほぼ全体を覆うとともに、該背面の上部に設けられた肩紐の取付位置よりも下方で重なり合う一対の背面部が一体となったカバー，前記一対の背面部の上部に延設されており、前記肩紐の取付位置よりも外側で前記正面部の上部と重なり合うベルト，前記一対の背面部同士の重なり部分及び連結ベルトと前記正面部の重なり部分に設けられており、前記各部を着脱可能に接合するとともに、接合部分の組み合わせごとに区別される接合具，前記一対の側面部に設けられた少なくとも一つ以上の収納袋，前記正面部に設けられるとともに開口部を有しており、前記カバーを、前記ベルト及び収納袋とともに収納するポケット，該ポケットの内側に設けられた吊下げ用の吊下げ具，前記接合具又はその付近に設けられた接合手順を示す表示，を備えたことを特徴とする。本発明の前記及び他の目的，特徴，利点は、以下の詳細な説明及び添付図面から明瞭になろう。
【発明の効果】
【０００８】
本発明は、ランドセルの周囲を覆うとともに該ランドセルに着脱可能なカバーの側面部に、各種小物などを収納する収納袋を設けるとともに、前記カバーの正面部に、該カバー自体を収納するためのポケットを設けることとしたので、手の自由を確保しながら安全に小物などを持ち運ぶことができるという効果が得られる。また、不要時の携帯性や収納性にも優れている。更に、ランドセルの周囲と上部のほぼ全体をカバーで覆って固定しているため、持ち運びの際に収納物の安定性がよいという効果も得られる。
【発明を実施するための最良の形態】
【０００９】
以下、本発明を実施するための最良の形態を、実施例に基づいて詳細に説明する。
【実施例１】
【００１０】
最初に、図１〜図３を参照しながら本発明の実施例１を説明する。図１は、本実施例の構成を示す正面図，図２は、本実施例の装着手順を示す図，図３は、本実施例の収納の様子を示す図である。これらの図に示すように、本実施例のランドセル装着用物入れ（以下「物入れ」とする）１０は、ランドセル５０の覆い蓋５８のほぼ全体を覆う正面部１４、前記ランドセルの側面５４Ａ，５４Ｂのほぼ全体を覆う一対の側面部１６Ａ，１６Ｂ、ランドセルの背面５６のほぼ全体を覆う一対の背面部１８Ａ，１８Ｂが一体となったカバー１２に、前記各部を接合するための接合具や小物などを収納するための袋が設けられた構成となっている。
【００１１】
まず、正面部１４は、ランドセル５０の覆い蓋５８と略同一形状・寸法に形成されており、その上方は、ランドセル５０の頭部を覆う被せ部１５となっている。また、正面部１４の下方には、カバー１２全体を折り畳んだり丸めたりした状態で収納するためのポケット２０が設けられている。該ポケット２０の上端は開口部２２となっており、更に、ポケット２０の内側には、ポケット２０に収納された状態の物入れ１０を吊下げるための紐２４が取り付けられている。また、正面部１４裏面の上端の両角には、後述する連結ベルト３６Ａ，３６Ｂの面ファスナー４２Ａ，４２Ｂと接合するための面ファスナー２６Ａ，２６Ｂが縫製や接着剤などの適宜手段で取り付けられている。このような正面部１４としては公知の各種の素材を利用することができるが、軽くて丈夫であり、折り畳み易いよう柔らかくて皺になりにくい素材が適している。
【００１２】
次に、側面部１６Ａ，１６Ｂは、前記正面部１４に連続して設けられており、ランドセル５０の側面５４Ａ，５４Ｂのほぼ全体を覆う形状・寸法に形成されている。これら一対の側面部１６Ａ，１６Ｂには、上履きや工作物，あるいは、給食用エプロンや楽器などの各種の小物などを収納するための袋２８Ａ，２８Ｂがそれぞれ設けられている。該袋２８Ａ，２８Ｂの上方は開口部３０Ａ，３０Ｂとなっており、これら開口部３０Ａ，３０Ｂの縁は袋状に縫合され、その内部に紐３２Ａ，３２Ｂが挿通されている。これら紐３２Ａ，３２Ｂを締めると袋２８Ａ，２８Ｂを閉じることができ、緩めると開口部３０Ａ，３０Ｂから物の出し入れが可能となる。前記袋２８Ａ，２８Ｂは、縫製などの適宜手段で側面部１６Ａ，１６Ｂに取り付けられるが、その際、袋２８Ａ，２８Ｂの上方を固定しないようにすると、側面１６Ａ，１６Ｂとの間に隙間３４が生じ、該隙間３４にも各種小物などを収納することが可能となる。このような側面部１６Ａ，１６Ｂは、例えば、前記正面部１４と同様の素材により形成される。また、袋２８Ａ，２８Ｂについても正面部１４と同素材で形成してもよいが、本実施例では、カバー１２を折り畳んだ時に小さくまとめることができるように、メッシュの薄い素材で形成されている。
【００１３】
次に、前記側面部１６Ａ，１６Ｂに連続して設けられた背面部１８Ａ，１８Ｂについて説明する。これら背面部１８Ａ，１８Ｂは、それぞれが、前記ランドセル５０の背面５６のほぼ全体を覆うとともに、ランドセル５０の肩紐６０Ａ，６０Ｂの取付金具６２よりも下の位置で重なり合う形状・寸法に形成されている。これら背面部１６Ａ，１６Ｂの重なり合いの程度は任意であるが、本実施例では、装着時にずれを生じにくいよう、ほぼ全面が重なるように設定されている。このような側面部１８Ａ，１８Ｂは、上端１９Ａ，１９Ｂ側のみが前記正面部１４と同素材で形成されており、それより下方は、装着時の通気性を考慮して前記袋２８Ａ，２８Ｂと同様のメッシュ素材で形成されている。そして、一方の背面部１８Ａの表側には、上端１９Ａに沿って面ファスナー３８Ａが適宜手段で設けられており、下端側にも同様に面ファスナー４０Ａが設けられている。他方の背面部１８Ｂの裏側には、上端１９Ｂに沿って面ファスナー３８Ｂが設けられ、下端側には面ファスナー４０Ｂが設けられている。これら面ファスナー３８Ａと３８Ｂ、面ファスナー４０Ａと４０Ｂをそれぞれ貼り合わせることにより、二つの背面部１８Ａ，１８Ｂがランドセル５０の背面５６側で重なり合った状態で接合・固定される。
【００１４】
更に、前記背面部１８Ａ，１８Ｂの側端上方には、前記正面部１４の被せ部１５側と重なり合う長さの連結ベルト３６Ａ，３６Ｂが延設されている。該連結ベルト３６Ａ，３６Ｂは、十分な強度を得ることができるように、例えば、前記正面部１４と同素材で形成される。このような、連結ベルト３６Ａ，３６Ｂの表面の上端側には、前記正面部１４の被せ部１５と接合するための面ファスナー４２Ａ，４２Ｂが適宜手段で設けられている。本実施例では、連結ベルト３６Ａの面ファスナー４２と正面部１４の面ファスナー２６Ｂを接合・固定し、連結ベルト３６Ｂの面ファスナー４２Ｂと正面部１４の面ファスナー２６Ａを接合・固定する構造となっている。
【００１５】
次に、本実施例の作用を説明する。本実施例の物入れ１０は、ランドセル５０に装着した状態で使用されるが、まず、ランドセル５０への装着手順を、図２を参照して説明する。図２（Ａ）〜（Ｅ）は、ランドセル５０を上方から見た場合の平面図であり、図２（Ｆ）は斜視図である。最初に、物入れ１０の表面（袋２８Ａ，２８Ｂが設けられている側）が外側を向くようにして、カバー１２をランドセル５０の正面５２及び側面５４Ａ，５４Ｂに当てる。そして、図２（Ａ）に示すように、一方の側面部１８Ａを、ランドセル５０の肩紐６０Ａ，６０Ｂの輪の内側に通し、次に、図２（Ｂ）に示すように他方の側面部１８Ｂを、同様に肩紐６０Ａ，６０Ｂの輪の内側に通す。そして、図２（Ｃ）及び（Ｆ）に示すように、側面部１８Ａの面ファスナー３８Ａ及び４０Ａを、他方の側面部１８Ｂの面ファスナー３８Ｂ及び４０Ｂとそれぞれ貼り合わせて接合・固定する。
【００１６】
そして、図２（Ｄ）に示すように、側面部１８Ａ，１８Ｂの連結ベルト３６Ａ，３６Ｂを、ランドセル５０の覆い蓋５８の頭部に乗せ、その上に、図２（Ｅ）及び（Ｆ）に示すように、正面部１４の被せ部１５を重ねて、連結ベルト３６Ａの面ファスナー４２Ａと正面部１４の面ファスナー２６Ｂを貼り合わせ、同様に、連結ベルト３６Ｂの面ファスナー４２Ｂと正面部１４の面ファスナー２６Ａを貼り合わせる。以上の手順に従って物入れ１０がランドセル５０のほぼ全体を覆うように装着されると、袋２８Ａ，２８Ｂがランドセル５０の側面５４Ａ，５４Ｂに位置するようになる。ランドセル５０を使用する児童は、これら袋２８Ａ，２８Ｂや、隙間３４に任意の小物などを収納して持ち運びを行う。また、ランドセル５０の正面５２側には、カバー１２自体を収納するためのポケット２０が位置するようになるが、該ポケット２０にも必要に応じて各種小物などを収納するようにしてもよい。
【００１７】
物入れ１０を使用しない時には、上述した手順と逆に、連結ベルト３６Ａ及び３６Ｂと正面部１４との接合を解除し、次に、背面部１８Ａと１８Ｂの接合を解除する。そして、図３（Ａ）に示すようにカバー１２全体を折り畳んで（あるいは丸めて）ポケット２０とほぼ同じ大きさ程度まで小さくしたあと、ポケット２０を反転させて、全体を反転したポケット２０内に収納する。すると、ポケット２０の内面２０Ａに設けられていた紐２４が表に現れるようになるので、該紐２４を利用して学校の机に設けられたフックや、ランドセル５０の側面に設けられたナスカンなどに掛けて、収納・携帯する。あるいは、紐２４を利用せずに、小さく畳んだ状態の物入れ１０を、ランドセル５０本体に入れて持ち運ぶようにしてもよい。
【００１８】
このように、実施例１によれば、次のような効果がある。
(1)ランドセル５０の周囲を覆うとともに、該ランドセル５０に着脱可能なカバー１２の側面部１６Ａ，１６Ｂに、各種小物などを収納する袋２８Ａ，２８Ｂを設けることとしたので、手の自由を確保しながら安全に小物などを持ち運ぶことができる。また、ランドセル５０の周囲と上部のほぼ全体をカバー１２で覆って固定しているため、持ち運びする荷物の安定性がよい。
(2)前記カバー１２の正面部１４に、該カバー１２自体を収納するポケット２０を設けたので、使用しない時には小さくまとめることができ、携帯性や収納性に優れている。
(3)前記カバー１２の一部や袋２８Ａ，２８Ｂにメッシュ素材を利用することとしたので、収納物の中身が容易に確認できるとともに、装着時にも通気性がよく快適に使用することができる。
(4)ポケット２０の内部に紐２４を設けたので、ポケット２０を反転してカバー１２全体を収納したときに、表に現れる紐２４を利用して机などに掛けることにより、不要時の紛失を防止することができる。
【００１９】
なお、本発明は、上述した実施例に限定されるものではなく、本発明の要旨を逸脱しない範囲内において種々変更を加え得ることができる。例えば、以下のものも含まれる。
(1)上述した実施例で示した素材は一例であり、同様の効果を奏するものであれば、各種の公知のものを使用してよい。また、大きさ，形状，色彩，模様なども必要に応じて適宜変更してよい。例えば、カバー１２に黄やオレンジなどの視認性の高い色を利用したり、正面部１４に反射部材などを設けたりすることにより、安全性を高めることができる。
【００２０】
(2)前記ポケット２０及び袋２８Ａ，２８Ｂも一例であり、必要に応じて形状，大きさ，数を変更してよい。また、それらの取付位置も、同様の効果を奏するように適宜変更可能である。例えば、前記実施例では、ポケット２０を正面部１４の下方に設け、上向きに開口部２２を形成することとしたが、下向きに開口部を有するポケットを設けることにより、雨天時にポケットに雨が溜まらないようにしてもよい。
【００２１】
(3)前記実施例のランドセル５０も一例であり、どのようなランドセルに対しても本発明の物入れ１０は装着することができる。
(4)前記実施例で示した小物などは一例であり、他の各種の小物などを本発明の物入れで持ち運ぶようにしてよい。
(5)前記装着手順ないし収納手順も一例であり、何ら上記実施例に限定されるものではない。例えば、前記実施例では、ポケット２０を反転させてカバー１２を収納することとしたが、図３（Ｂ）に示すように、ポケット２０の幅に合わせて折り畳んだカバー１２を、ポケット２０の開口部２２からそのまま内側に収納することにより、一時的に収納するようにしてもよい。
【００２２】
(6)前記実施例では、背面部１８Ａと１８Ｂの接合，正面部１４と連結ベルト３６Ａ及び３６Ｂの接合に面ファスナーを利用することとしたが、他の公知の各種の接合手段を利用してよい。また、面ファスナーやその付近に、接合する順序を示す表示（例えば数字）を設けることで、小さい子でも、間違わずに装着することができる。また、面ファスナーを色分けして接合する面ファスナー同士が一目で分かるようにしてもよい。例えば、面ファスナー３８Ａと３８Ｂをピンク，面ファスナー４０Ａと４０Ｂを白，面ファスナー４２Ａと２６Ｂを水色，面ファスナー４２Ｂと２６Ａを緑にするなどである。更に、面ファスナーの接合位置も任意であり、接合位置を調節することにより各種デザイン・大きさのランドセルに対応可能である。
【産業上の利用可能性】
【００２３】
本発明によれば、ランドセルの周囲を覆うとともに該ランドセルに着脱可能なカバーの側面部に、各種小物などを収納する収納袋を設けるとともに、前記カバーの正面部に、該カバー自体を収納するためのポケットを設けることとしたので、ランドセルに装着して小物などを持ち運ぶ物入れの用途として好適である。
【図面の簡単な説明】
【００２４】
【図１】本発明の実施例１の構成を示す正面図である。
【図２】前記実施例１をランドセルに装着する手順を示す図であり、（Ａ）〜（Ｅ）は平面図，（Ｆ）は斜視図である。
【図３】前記実施例１の収納状態を示す図である。
【符号の説明】
【００２５】
１０：物入れ
１２：カバー
１４：正面部
１５：被せ部
１６Ａ，１６Ｂ：側面部
１８Ａ，１８Ｂ：背面部
１９Ａ，１９Ｂ：上端
２０：ポケット
２０Ａ：内面
２２：開口部
２４：紐
２６Ａ，２６Ｂ，３８Ａ，３８Ｂ，４０Ａ，４０Ｂ，４２Ａ，４２Ｂ：面ファスナー
２８Ａ，２８Ｂ：袋
３０Ａ，３０Ｂ：開口部
３２Ａ，３２Ｂ：紐
３４：隙間
３６Ａ，３６Ｂ：連結ベルト
５０：ランドセル
５２：正面
５４Ａ，５４Ｂ：側面
５６：背面
５８：覆い蓋
６０Ａ，６０Ｂ：肩紐
６２：取付金具
【図１】
2005111127.tif 000003
【図２】
2005111127.tif 000004
【図３】
2005111127.tif 000005